(57)【要約】【課題】回動レバーを使用せずに電柱等の支柱に対し簡単にバンドを取付けることができるバンド締付具を提供すること。【解決手段】樹脂バンド２を支柱へ取り付けるためのバンド締付具１１であって、雌ネジ部１１ａを有すると共に、その両端部に支柱の外周を回した樹脂バンド２の両端が連結されるバンド連結部材１１と、支柱の外周方向に貫通した中空部１２ａを有し、その中空部１２ａにバンド連結部材１１を挿通させると共に、その中空部１２ａ上方の上面１２ｂに引張力付与ネジ１３を通す通し孔１２ｃが形成され、下面側１２ｄが支柱の外周面に当接するベース部材１２と、引張力付与ネジ１３とを有し、引張力付与ネジ１３は、ベース部材１２の通し孔１２ｃに挿入され、その中空部１２ａにてバンド連結部材１１の雌ネジ部１１ａに螺合し、その回転によりバンド連結部材１１を支柱に対し浮かせて樹脂バンド２を締め付ける。【選択図】図１
2013113354.tif 000002
【特許請求の範囲】
【請求項１】
帯状に形成されたバンドを電柱等の支柱の外周に回して締め付けるためのバンド締付具であって、
雌ネジ部を有すると共に、その両端部に支柱の外周を回したバンドの両端が連結されるバンド連結部材と、
前記バンド連結部材の雌ネジ部に螺合し、その回転により前記バンド連結部材を支柱に対し浮かせて前記バンドを締め付ける引張力付与ネジと、
を有することを特徴とするバンド締付具。
【請求項２】
請求項１記載のバンド締付具において、
さらに、支柱の外周方向に貫通した中空部を有し、その中空部に前記バンド連結部材を挿通させると共に、その中空部上方の上面に前記引張力付与ネジを通す通し孔が形成され、下面側が支柱の外周面に当接するベース部材を有し、
前記引張力付与ネジは、前記ベース部材の通し孔に挿入され、その中空部にて前記バンド連結部材の雌ネジ部に螺合し、その回転により前記バンド連結部材を支柱に対し浮かせて前記バンドを締め付けることを特徴とするバンド締付具。
【発明の詳細な説明】
【技術分野】
【０００１】
本発明は、帯状に形成されたバンドを電柱等の支柱の外周に回して締め付けるためのバンド締付具に関する。
【背景技術】
【０００２】
帯状に形成されたプラスチック製や金属性のバンドを電柱へ取り付けるためのバンド締付具として、例えば、片方のバンドを係止しバンド巻込み用の回動レバーを受ける軸受けを有する締付具本体に、カム状のバンド巻込み軸でその近傍にバンド用の挿通孔を設けた回動レバーを取り付けたバンド締付具とし、バンドの巻込みの後半でカム状の先端の傾きと本体軸受けの傾斜に沿って、レバー回転軸が前方下部へ摺動して行き、レバーの戻りに対抗する位置関係となりバンドを押えこむような構造としたものが提案されている（例えば、特許文献１参照。）。
【先行技術文献】
【特許文献】
【０００３】
【特許文献１】特開２００７−２９８０８４号公報
【発明の概要】
【発明が解決しようとする課題】
【０００４】
しかし、このバンド締付具では、回動レバーを起伏させてバンドを締め付けるため、バンドの取り付けや取り外しの際、大きな力が必要という問題がある。また、回動レバーを倒す際、指を挟むおそれがあるという問題もある。
【０００５】
そこで、本発明は、回動レバーを使用せずに電柱等の支柱に対し簡単にバンドを取付けることができるバンド締付具を提供することを目的とする。
【課題を解決するための手段】
【０００６】
上記課題を解決するため、本発明のバンド締付具は、帯状に形成されたバンドを電柱等の支柱の外周に回して締め付けるためのバンド締付具であって、雌ネジ部を有すると共に、その両端部に支柱の外周を回したバンドの両端が連結されるバンド連結部材と、前記バンド連結部材の雌ネジ部に螺合し、その回転により前記バンド連結部材を支柱に対し浮かせて前記バンドを締め付ける引張力付与ネジと、を有することを特徴とする。
ここで、前記バンド締付具において、さらに、支柱の外周方向に貫通した中空部を有し、その中空部に前記バンド連結部材を挿通させると共に、その中空部上方の上面に前記引張力付与ネジを通す通し孔が形成され、下面側が支柱の外周面に当接するベース部材を有し、前記引張力付与ネジは、前記ベース部材の通し孔に挿入され、その中空部にて前記バンド連結部材の雌ネジ部に螺合し、その回転により前記バンド連結部材を支柱に対し浮かせて前記バンドを締め付けるようにしても良い。
【発明の効果】
【０００７】
本発明のバンド締付具は、雌ネジ部を有すると共に、その両端部に支柱の外周を回したバンドの両端が連結されるバンド連結部材と、前記バンド連結部材の雌ネジ部に螺合し、その回転により前記バンド連結部材を支柱に対し浮かせて前記バンドを締め付ける引張力付与ネジとを有するので、回動レバーを使用せずに電柱等の支柱に対し簡単にバンドを取付けることができる。
【図面の簡単な説明】
【０００８】
【図１】本発明にかかる実施形態１のバンド締付具全体を示す斜視図である。
【図２】（ａ）〜（ｄ）それぞれ、本発明にかかる実施形態１のバンド締付具全体を示す平面図、右側面図、正面図、Ａ−Ａ線断面図である。
【図３】（ａ）〜（ｃ）それぞれ、バンド連結部材の平面図、Ｂ−Ｂ線面図、底面図である。
【図４】（ａ）〜（ｅ）それぞれ、ベース部材の平面図、正面図、底面図、右側面図、Ｃ−Ｃ線面図である。
【図５】（ａ）〜（ｄ）それぞれ、引張力付与ネジの平面図、正面図、Ｄ−Ｄ線断面図、底面図である。
【図６】（ａ），（ｂ）それぞれ、実施形態１のバンド締付具の動作を示す図である。
【図７】本発明にかかる実施形態２のバンド締付具の使用状態を示す図である。
【発明を実施するための形態】
【０００９】
以下、本発明にかかるバンド締付具の実施形態１，２について、図面を参照して説明する。
【００１０】
実施形態１．
図１および図２に示すように、本発明にかかるバンド締付具１は、帯状に形成された樹脂バンド２を電柱等の支柱３へ取り付けるためのもので、バンド連結部材１１と、ベース部材１２と、引張力付与ネジ１３とから構成される。
【００１１】
バンド連結部材１１は、ポリアセタール（ＰＯＭ）樹脂等のプラスチックからなるもので、図１〜図３に示すように、その左右両端部には、それぞれ、支柱３の外周を回した樹脂バンド２の両端が連結されるスリット１１ａ１，１１ａ２，１１ｂ１が形成された連結部１１ａ，１１ｂが設けられている。また、その中央部には、図３に示すように、引張力付与ネジ１３の雄ネジ部１３ａ１が挿入される通し孔（バカ孔）１１ｃが形成されており、この通し孔（バカ孔）１１ｃの裏側には、引張力付与ネジ１３の雄ネジ部１３ａ１が螺合する雌ネジ部１１ｄ１を有するナット１１ｄが嵌められている。なお、バンド連結部材１１の図上右側の連結部１１ｂでは、図２（ｄ）に示すように、樹脂バンド２の先端部２１ａがスリット１１ｂ１に通された後、折り返されて、樹脂バンド２同士が接着剤やレーザー等により溶着されている。図上、２１ａ１が樹脂バンド２同士の溶着部である。なお、ここでは、折り返した樹脂バンド２同士を溶着して固定しているが、本発明では、これに限らず、例えば、折り返した樹脂バンド２に筒体（図示せず。）を外嵌してカシメ等により固着しても良く、要は、バンド連結部材１１に樹脂バンド２を留めることができれば良い。また、バンド連結部材１１の図上左側の連結部１１ａでは、そのスリット１１ａ１，１１ａ２に、後述する図６に示すように、樹脂バンド２の図示しない他端部が挿入され、かつ、その長さや引張力を調整して折り返されて留められる。
【００１２】
ベース部材１２も、ポリアセタール（ＰＯＭ）樹脂等のプラススチックからなるもので、図４に示すように、支柱３の外周方向に貫通した中空部１２ａを有し、その中空部１２ａにバンド連結部材１１を挿通させると共に、その中空部１２ａ上方の上面１２ｂに引張力付与ネジ１３を通す通し孔１２ｂ１が形成されており、下面１２ｃが支柱３の外周面に当接する。また、下面１２ｃのほぼ中央には、引張力付与ネジ１３の雄ネジ部１３ａ１先端を逃がすための逃げ孔１２ｃ１が形成されていると共に、下面１２ｃの端部には、ベース部材１２の軽量化や樹脂量を減らすための軽量スリット１２ｃ２が形成されている。なお、ベース部材１２の上面１２ｂには、引張力付与ネジ１３の頭部１３ｂが嵌まる凹部１２ｂ２が形成されている。
【００１３】
引張力付与ネジ１３は、図５に示すように、金属製の六角ボルト１３ａと、ポリアセタール樹脂等のプラスチック製の頭部１３ｂとからなり、六角ボルト１３ａのネジ部分に雄ネジ部１３ａ１が形成されている。頭部１３ｂには、この引張力付与ネジ１３を回転させるためマイナスドライバ（図示せず。）用の切り溝１３ｂ１が形成されている。
【００１４】
次に、実施形態１のバンド締付具１の動作について説明する。
まず、図１および図２に示すようにバンド連結部材１１の連結部１１ｂに樹脂バンド２の一端側が連結されたバンド締付具１のベース部材１２を、図６（ａ）に示すように電柱等の支柱３に押し付け、支柱３の外周に樹脂バンド２を回し、樹脂バンド２の他端側をバンド連結部材１１の連結部１１ａに連結する。そして、引張力付与ネジ１３を回転させると、引張力付与ネジ１３の雄ネジ部１３ａ１が、バンド連結部材１１の下面に嵌められたナット１１ｄの雌ネジ部１１ｄ１に螺合しているので、図６（ｂ）に示すように樹脂バンド２が連結されたバンド連結部材１１が引張力付与ネジ１３に対し上昇、すなわち支柱３から離れるように移動する。すると、樹脂バンド２が連結されたバンド連結部材１１が支柱３に対し浮くので、樹脂バンド２を締め付けることができる。
【００１５】
従って、実施形態１のバンド締付具１によれば、引張力付与ネジ１３はベース部材１２の通し孔１２ｂ１に挿入され、その中空部１２ａにてバンド連結部材１１のナット１１ｄの雌ネジ部１１ｄ１に螺合し、引張力付与ネジ１３を回転させることによりバンド連結部材１１を支柱３から移動させて樹脂バンド２を締め付けるようにしたので、回動レバーを使用せずに電柱等の支柱３に対し簡単に樹脂バンド２を取付けることができる。
【００１６】
実施形態２．
実施形態１のバンド締付具１は、バンド連結部材１１と、ベース部材１２と、引張力付与ネジ１３とから構成したが、図７に示す実施形態２のバンド締付具１’のようにベース部材１２を省略して、バンド連結部材１１と、引張力付与ネジ１３とから構成するようにしても良い。このようにした場合、引張力付与ネジ１３の雄ネジ部１３ａ１先端が支柱３の外周面に直接当接するものの、引張力付与ネジ１３を回転させることにより、引張力付与ネジ１３に対しバンド連結部材１１が上昇して、支柱３から離れるように移動するので、実施形態１のバンド締付具１と同様に、樹脂バンド２を締め付けることができる。
【符号の説明】
【００１７】
１，１’  バンド締付具
１１  バンド連結部材
１１ａ，１１ｂ  連結部
１１ａ１，１１ａ２，１１ｂ１  スリット
１１ｃ  通し孔
１１ｄ  ナット
１１ｄ１  雌ネジ部
１２  ベース部材
１２ａ  中空部
１２ｂ  上面
１２ｂ１  通し孔
１２ｃ  下面
１２ｃ１  逃げ孔
１２ｃ２  軽量スリット
１３  引張力付与ネジ
１３ａ  六角ボルト
１３ａ１  雄ネジ部
１３ｂ  頭部
１３ｂ１  切り溝
２  バンド（樹脂バンド）
３  電柱（支柱）
【図１】
2013113354.tif 000003
【図２】
2013113354.tif 000004
【図３】
2013113354.tif 000005
【図４】
2013113354.tif 000006
【図５】
2013113354.tif 000007
【図６】
2013113354.tif 000008
【図７】
2013113354.tif 000009